(57)【要約】  飲料カートンは、中央パネル（２４）と、左側折り線（３２）に沿って中央パネルに折り畳み可能に接続された左側パネル（１２）と、右側折り線（３４）に沿って中央パネルに折り畳み可能に接続された右側パネル（１４）と、中央パネル、左側パネル、及び右側パネルから形成されたストラップハンドル（２４）と、を有する。
2018501156.tif 000002
【特許請求の範囲】
【請求項１】
トップパネル、並びに第１結合線及び第２結合線に沿って前記トップパネルに折り畳み可能に隣接する対向する第１サイドパネル及び第２サイドパネルを含む複数のパネルと；
前記トップパネルと一体に形成されるとともに前記トップパネルを横切って横方向に延在するストラップハンドルであって、少なくとも一方が前記第１結合線のところで終端するか又は前記第１サイドパネル内で終端する二つの遠位端領域と、前記遠位端領域の間に画定された掴み領域と、を有するストラップハンドルと；
前記ストラップハンドルと前記掴み領域に近接した前記トップパネルとを相互接続するとともに、第１ウェブ折り線及び第２ウェブ折り線により少なくとも部分的に画定された少なくとも一つのウェブであって、前記第１ウェブ折り線及び前記第２ウェブ折り線のうち少なくとも一方は、前記第１結合線に対して鋭角をなす、少なくとも一つのウェブと、
を備えるカートン。
【請求項２】
前記鋭角は、３０°〜６０°である、請求項１に記載のカートン。
【請求項３】
前記第１ウェブ折り線及び前記第２ウェブ折り線は、互いに略平行である、請求項１に記載のカートン。
【請求項４】
ウェブパネルは、前記トップパネルの外側に折り出され、前記ストラップハンドルを前記トップパネルより高い位置とする、請求項１に記載のカートン。
【請求項５】
前記掴み領域は、前記ストラップハンドルの少なくとも一側の開口部により少なくとも部分的に画定されている、請求項１に記載のカートン。
【請求項６】
前記開口部は、開口部周縁により少なくとも部分的に画定されており、前記開口部周縁の少なくとも一部は、前記第１ウェブ折り線及び前記第２ウェブ折り線のうち一方と同一直線状にあるとともに連続している、請求項５に記載のカートン。
【請求項７】
少なくとも一つの遠位端領域が、互いに離間した複数の切断線により画定されており、折り線が前記切断線の間で延在する、請求項１に記載のカートン。
【請求項８】
前記折り線の少なくとも一部は、前記トップパネルと前記対向するサイドパネルとの間の前記結合線それぞれに対して略一致する、請求項７に記載のカートン。
【請求項９】
前記折り線は、前記切断線の終端領域に近接する、請求項７に記載のカートン。
【請求項１０】
前記折り線は、前記切断線と交差する、請求項７に記載のカートン。
【請求項１１】
前記第１ウェブ折り線及び前記第２ウェブ折り線は、互いに略平行である、請求項１に記載のカートン。
【請求項１２】
前記掴み領域は、前記ストラップハンドルの少なくとも一側の開口部により少なくとも部分的に画定されており、前記ウェブはそれぞれ、前記ストラップハンドルと前記開口部に近接した前記トップパネルとを相互接続する、請求項１に記載のカートン。
【請求項１３】
第１パネルと；
第１折り線に沿って前記第１パネルに折り畳み可能に接続された第２パネルと；
第２折り線に沿って前記第１パネルに折り畳み可能に接続された第３パネルと；
前記第２パネルと前記第３パネルとの間の前記第１パネルと一体に形成されるとともに前記第１パネルを横切って横方向に延在するストラップハンドルであって、それぞれ前記第１折り線及び前記第２折り線のところで終端するか又は前記第２パネル及び前記第３パネル内で終端する少なくとも一つの遠位端領域と、前記遠位端領域の間に画定された掴み領域と、を有するストラップハンドルと；
前記ストラップハンドルと前記掴み領域に近接した前記第１パネルとを相互接続するとともに、第１ウェブ折り線及び第２ウェブ折り線により少なくとも部分的に画定された少なくとも一つのウェブであって、前記第１ウェブ折り線及び前記第２ウェブ折り線のうち少なくとも一方は、前記第１折り線に対して鋭角をなす、少なくとも一つのウェブと、
を備えるカートン。
【請求項１４】
前記カートンが前記ストラップハンドルにより持ち上げられると、前記ウェブは、前記ストラップハンドルが前記第１パネルより高い位置となるように、前記第１パネルの外側へ折り出される、請求項１３に記載のカートン。
【請求項１５】
前記掴み領域は、前記ストラップハンドルの少なくとも一側の開口部により少なくとも部分的に画定されている、請求項１３に記載のカートン。
【請求項１６】
前記遠位端領域は、互いに離間した複数の切断線により画定されており、前記遠位端領域は、前記切断線の間で延在する折り線を含む、請求項１３に記載のカートン。
【請求項１７】
前記折り線の少なくとも一部は、前記第１折り線及び前記第２折り線それぞれと略一致する、請求項１５に記載のカートン。
【請求項１８】
前記折り線は、前記ストラップハンドルの近接終端に向かって開口した凹面を画定する弧状構成を有する、請求項１５に記載のカートン。
【請求項１９】
前記折り線は、前記切断線の終端領域に近接する、請求項１５に記載のカートン。
【請求項２０】
前記折り線は、前記切断線と交差する、請求項１５に記載のカートン。
【請求項２１】
前記ウェブは、互いに離間した略平行な複数のウェブ折り線により少なくとも部分的に画定されている、請求項１３に記載のカートン。
【請求項２２】
前記掴み領域は、前記ストラップハンドルの少なくとも一側の細長い開口部により少なくとも部分的に画定されており、前記ウェブはそれぞれ、前記ストラップハンドルと前記細長い開口部の端領域に近接した前記トップパネルとを相互接続する、請求項１３に記載のカートン。
【請求項２３】
左側縁部に沿った左側折り線及び右側縁部に沿った右側折り線を有する中央パネルと；
前記左側折り線に沿って前記中央パネルに折り畳み可能に接続された左側パネルと；
前記右側折り線に沿って前記中央パネルに折り畳み可能に接続された右側パネルと；
前記左側パネルと前記右側パネルとの間の前記中央パネルと一体に形成されるとともに前記中央パネルを横切って横方向に延在するストラップハンドルであって、それぞれ前記左側折り線及び前記右側折り線のところで終端するか又はそれぞれ前記左側パネル及び前記右側パネルの近傍内で終端する少なくとも一つの遠位端領域と、前記遠位端領域の間に画定された掴み領域と、を有するストラップハンドルと；
前記ストラップハンドルと前記掴み領域に近接した前記中央パネルとを相互接続するとともに、第１ウェブ折り線及び第２ウェブ折り線により少なくとも部分的に画定された少なくとも一つのウェブであって、前記第１ウェブ折り線及び前記第２ウェブ折り線のうち少なくとも一方は、前記左側折り曲げ縁部に対して鋭角をなす、少なくとも一つのウェブと、
を備える、カートン用のブランク。
【請求項２４】
前記掴み領域は、前記ストラップハンドルの少なくとも一側の開口部により少なくとも部分的に画定されている、請求項２３に記載のブランク。
【請求項２５】
前記遠位端領域は、互いに離間した複数の切断線により画定されており、前記遠位端領域は、前記切断線の間で延在する遠位端領域折り線を含む、請求項２３に記載のブランク。
【請求項２６】
前記遠位端領域折り線の少なくとも一部は、前記右側折り線及び前記左側折り線それぞれと略一致する、請求項２５に記載のブランク。
【請求項２７】
前記遠位端領域折り線は、前記切断線の終端領域に近接する、請求項２５に記載のブランク。
【請求項２８】
前記遠位端領域折り線は、前記切断線と交差する、請求項２５に記載のブランク。
【請求項２９】
前記第１ウェブ折り線及び前記第２ウェブ折り線は、互いに略平行である、請求項２３に記載のブランク。
【請求項３０】
前記掴み領域は、前記ストラップハンドルの少なくとも一側の開口部により少なくとも部分的に画定されており、前記ウェブはそれぞれ、前記ストラップハンドルと前記開口部に近接した前記トップパネルとを相互接続する、請求項２３に記載のブランク。
【請求項３１】
前記第１ウェブ折り線は内側のウェブ折り線であり、前記第２ウェブ折り線は外側のウェブ折り線であり、前記外側のウェブ折り線は、前記内側のウェブ折り線より弱い、請求項２３に記載のブランク。
【発明の詳細な説明】
【技術分野】
【０００１】
本発明は一般に、製品カートン、より具体的にはストラップハンドルを有するカートンに関する。
【背景技術】
【０００２】
飲料品及び食品サプリメントのボトル及び缶に使用されるような製品カートンには、カートンの持ち運びを容易にする手持ち部又はストラップハンドルが備え付けられていることが多い。
【０００３】
ストラップハンドルによりカートン及びその内容物を持ち上げると、パッケージの重量が、ハンドル、パネルのうちハンドルが連結された領域（方向性のため、一般にはトップパネルであると考えられる）、及びカートンの他の部分に集中する。この重量集中により、ハンドル及び個々のカートンパネル（特にトップパネル）の変形及び破損をもたらし得る応力が生じる。変形、破損、及びその他の形で破れるという問題は、多層カートン材料の使用、及び／又はキャリパー又は厚さの大きな材料の使用により解決されることもあるが、このような手法は、カートンのコストを増加させる。容易に破れず、強化カートンパネル又は厚手材料から成るカートンパネルを必要とせず、使用されるカートン材料の量も節約しつつカートンの構造的一体性を損なわないストラップハンドルを有することが望ましいということが理解できる。
【発明の概要】
【発明が解決しようとする課題】
【０００４】
本発明は、上記の問題のうち一つ以上を解決することを目的とする。
【課題を解決するための手段】
【０００５】
簡潔に要約すると、本発明の一態様によると、カートンは、トップパネル及びボトムパネル並びに対向する第１サイドパネル及び第２サイドパネルを有する。ストラップハンドルが、トップパネル及びサイドパネルに形成され、サイドパネル間でトップパネルを横切って横方向に延在する。ハンドルは、サイドパネルと一体に形成され、ウェブパネルを使用してトップパネルに接続されている。ウェブパネルは、トップパネルに対して上向きに折り曲げられて、把持が容易になるようにハンドルをトップパネルから離すことができる。荷重がハンドルから直接各サイドパネルに分散され、ハンドル及びハンドルとサイドパネルとの接続部に配置されたスコア線の寸法及び配置により、サイドパネルにわたっての荷重拡散が促進される。
【０００６】
本発明の別の態様によると、ストラップハンドルは、サイドパネル、トップパネル、及びボトムパネルに形成され、トップパネルとボトムパネルとの間のサイドパネルを横切って横方向に延在する。カートンは、サイドパネルを上向きにして運搬される。荷重は、ハンドルから、ハンドルが接続されるトップパネル及びボトムパネルへ伝達される。
【０００７】
ストラップハンドルは、ロングネックのボトル用のカートンにも有用である。ハンドルは、サイドパネル及びトップパネルに形成される。カートンは、ボトルが鉛直方向ではなく水平方向を向いた状態で運搬される。
【０００８】
本発明の上記及びその他の態様、目的、特徴、及び利点は、好ましい実施形態についての以下の詳細な説明及び添付の特許請求の範囲を参照するとともに、添付図面を参照することにより、より明確に理解されるであろう。
【図面の簡単な説明】
【０００９】
【図１】本発明に係る横方向ストラップハンドルを有するカートン用のブランクを図示する。
【図２】横方向ストラップハンドルの詳細図を図示する。
【図３】図１のブランクから形成された組立て済製品カートンの斜視図である。
【図４】横方向ストラップハンドルにより保持された状態の、図３の組立て済製品カートンの斜視図である。
【図５】図１と類似するが別の実施形態の横方向ストラップハンドルカートン用のブランクを図示する。
【図６】図５のブランクから形成された組立て済製品カートンの斜視図である。
【図７】横方向ストラップハンドルにより保持された状態の、図６の組立て済製品カートンの斜視図である。
【発明を実施するための形態】
【００１０】
以下の詳細な説明及び特許請求の範囲を通して、パネルを「トップ」又は「サイド」と呼ぶのは、発明を説明にあたり図面を参照する際の便宜上のものであることに留意されたい。これらの用語を使用することによって、当該パネルについて限定を加えるものではなく、そのような限定を意図するものでもない。
【００１１】
図１〜図４を参照すると、カートン１０がブランク２６から形成される。カートン（及びブランク）は、サイドパネル１２、１４、エンドパネル１３、１５、１６、１８、トップパネル２０、及びボトムパネル２２ａ、２２ｂで形成される。図１〜図４の実施形態では、カートン１０には、長手方向ではなく横方向に配置されたストラップハンドル２４が備え付けられている。横方向ハンドル２４は、指がサイドパネル１２；１４間ではなくエンドパネル１３、１６；１５、１８間で延在する形で手で掴めるような方向に配置される。図示するように、カートン１０は、本例では、六つの飲料容器Ａを保持して６パックを形成する。本実施形態では、カートン内に梱包される缶又は他の物品は、長手軸を鉛直にして配置されているが、長手軸を水平かつハンドルの横方向配置に対して平行又は垂直な方向としてもよい。横方向ストラップハンドル２４により持ち上げる場合、ハンドル２４により提供される持ち上げ力は、トップパネル２０やエンドパネル１３、１６；１５、１８、カートンの角部（従来の長手方向ストラップハンドルでは、持ち上げ力がこれらに向けられる）ではなく、サイドパネル１２；１４に向けられる。従って、持ち上げ力は、広い領域にわたって拡散し、荷重に対応したり破れるのを防いだりするためにカートンの材料の厚さを増加させる必要がなくなる。複数の戦略的な切断線及び折り線により、指を挿入してこれを把持することによりカートンの持ち運びを行うことができるようにハンドル２４を十分に持ち上げることが可能になる。
【００１２】
図１は、カートン１０を形成することができるブランク２６を図示する。ブランク２６は、好ましくは、折り線２８ａ〜２８ｅ；３０ａ〜３０ｅによりエンドパネル及び中央パネルに分割される単一片材料から形成される。トップパネル２０は、中央トップパネル２０及び端部１７ｃ、１９ｃに分割される。同様に、サイドパネル１２；１４は、中央パネル部及びエンドパネル部１３、１５；１６、１８に分割される。トップパネル２０は、折り線３２に沿ってサイドパネル１２に接続される一方で、折り線３４に沿ってサイドパネル１４に接続される。サイドパネル１４が折り線３６ａ、３６ｂに沿ってボトムパネル２２ａに接続される一方、サイドパネル１２は折り線３８ａ、３８ｂに沿ってボトムパネル２２ｂに接続される。
【００１３】
ボトムパネル２２ａ、２２ｂは、取り除き可能な穴４８（ブランクの自動処理中に使用され得る）及びインターロック５０ａ、５０ｂを画定する切断線又は弱化線を有してもよい。また、ボトムパネルは、物品クリアランス開口部４９ａ及びレリーフ線４９ｂを含んでもよい。
【００１４】
サイドパネル１２の端は、折り線２８ａ、３０ａに沿ってエンドパネル１３、１５に接続される。これにより、カートンの組立て中にエンドパネルを綺麗に折り曲げることができる。同様に、サイドパネル１４の端は、折り線２８ｅ、３０ｅに沿ってエンドパネル１６、１８に接続される。これにより、カートンの組立て中にエンドパネルを綺麗に折り曲げることができる。パネル１４は、正方形の角付きパネルではなくより審美的に訴えるものとしてもよく、これによりディスプレイパネルとして使用されてもよい。完成したカートンの第１端は、より大きなエンドパネル１５、１８だけでなく、折り線２８ｂ、２８ｃ、２８ｄを介してそれぞれサイドパネル１２、トップパネル２０、及びサイドパネル１４に接続されたサブパネル１９ａ、１９ｂ、１９ｃ、１９ｄ、１９ｅを含んでもよい。完成したカートンの第２端は、より大きなエンドパネル１３、１６だけでなく、折り線３０ｂ、３０ｃ、３０ｄを介してそれぞれサイドパネル１２、トップパネル２０、及びサイドパネル１４に接続されたサブパネル１７ａ、１７ｂ、１７ｃ、１７ｄ、１７ｅを含んでもよい。
【００１５】
横方向ハンドルストラップ２４は、トップパネル２０の二つのカットアウト間に画定されたメインストラップ部を有する。これらのカットアウトは、最初はトップパネル２０のオプショナルなハンドルフラップ５２、５４によりカバーされていてもよい。ハンドルフラップ５２、５４は、ストラップの厚さを増加させて組立てカートンにおいてより快適な手掴み穴を形成するように、折り線５３ａに沿ってハンドル２４に接続される。ハンドルアセンブリ全体が、サイドパネル１２；１４の上でトップパネル２０にわたって伸長する。従って、ハンドルアセンブリは、折り線３２；３４にわたって延在する。切断線５８は、パネル１２を斜め上方に横切って折り線３２に向かって延在し、そこからトップパネル２０上を水平にハンドルフラップ５２の縁部に向かって又は当該縁部に沿って進む。同様に、切断線６０は、パネル１２を斜め上方に横切って折り線３２まで延在し、そこからトップパネル２０上を水平にハンドルフラップ５２の縁部に向かって又は当該縁部に沿って延在する。好ましくは、切断線５８；６０は、完全な切断線ではなく、カートンが起こされた（ｅｒｅｃｔｅｄ）後で容易に分離されるように鋸刃状である。切断線５８、６０の各遠位端の間では、サイドパネル１２上に遠位端領域折り線３１が設けられてもよい。折り線３１は、サイドパネル１２とトップパネル２０／ハンドル２４との間の折り線３２から離間していてもよい。折り線３１は、折り線３２に平行であってよい。任意選択で、折り線３１は、部分的に又は完全に折り線３２と連続するものであってもよい。
【００１６】
図２の詳細図に最も良く示されているように、ウェブパネル６２、７２、６４、７４はそれぞれ、折り線及び切断線により画定される。例えば、ウェブパネル６４は、第１（内側）ウェブ折り線６４ａ及び第２（外側）ウェブ折り線６４ｂ並びに切断線６０、５１ａにより画定される。第２（外側）ウェブ折り線６４ｂは、第１（内側）ウェブ折り線６４ａより弱いものであってよい。例えば、第２（外側）ウェブ折り線６４ｂは、折り目線と切断線により形成されてもよく、第１（内側）ウェブ折り線は、折り目線により形成されてもよい。折り線６４ａ、６４ｂは、互いに離間してもよく、また互いに略平行であってよい。「略平行」とは、折り線６４ａ、６４ｂ間の角度が２５°未満であることを意味する。これらの折り線の一方又は両方は、トップパネル２０とサイドパネル１２との間の折り線３２に対して鋭角α１をなすものであってよい。角度α１は、製造上の都合に応じて選ばれてよく、１０°〜８０°、２０°〜７０°、３０°〜６０°、又は約４５°であってよい。
【００１７】
第２（外側）ウェブ折り線６４ｂは、開口部の周縁の一部であってハンドルフラップ５４が作成される部分５１ｂと同一直線上にあってもよく、当該部分５１ｂと連続するものであってよい。この場合、部分５１ｂは、折り線３２に対して角度α２をなすものであってよく、角度α１及びα２は等しくてもよい。代替例として、これらの角度が異なってもよい。ハンドルフラップ５２、５４が存在する場合、開口部周縁の部分５１ａ、５１ｂは、最初はハンドルフラップ５２、５４とトップパネル２０との間の切断線であってよい。
【００１８】
ウェブパネル６２、７２は、トップパネル２０の切断線５１ａ、５１ｂにより画定される手掴み穴カットアウトと、パネル２０の切断線５８、６８の水平部分と、の間に存在する。例えばウェブパネル６２は、切断線５８、５１ａ及び切断線５８、５１ａ間で延在する折り線６１ａ、６１ｂにより画定される。
【００１９】
折り線に沿って折り曲げられると、メインハンドル部２４は、パネル２０の面外に持ち上げられ得る。これにより、カートンを持ち上げるために手又は指を挿入する空間が形成される。別の意味では、メインハンドル部２４が上方に持ち上げられると、当該構造が折り線６１ａ、６１ｂに沿って折れ曲がることができ、これにより、ウェブパネル６２、６４、７２、７４がトップパネル２０の略水平面から面外方向に曲がって幾分鉛直方向の面を形成し、その結果、ウェブパネルによりハンドル部２４とトップパネル２０との間の接続部が形成される。このようにして、ウェブパネルがハンドルとトップパネル２０の端部との間の接続部を形成し、当該接続部は、カートン１０の端部が外側に垂れ下がるのを防ぐのに役立ち得る。同様に、ハンドル２４の両縁部に沿ってウェブパネルの第２の対６４、７４が設けられており、これらは、パネル２０の切断線６０、７０の水平部分に沿って延在する、折り畳み可能に接続されたウェブパネル６４、７４である。
【００２０】
切断線６８は切断線５８の鏡像であり、切断線７０は切断線６０の鏡像である。切断線６８、７０の各遠位端の間では、サイドパネル１４上に遠位端領域折り線３３が設けられてもよい。切断線６８と関連するトップウェブパネル７２は、ウェブパネル６２の鏡像であり、切断線７０と関連するウェブパネル７４は、ウェブパネル６４の鏡像である。ブランク２６を起こしてカートンとした場合、ハンドル２４により発生する持ち上げ力は、パネル１２；１４に沿って、またボトムパネル２２ａ、２２ｂにわたって拡散する。
【００２１】
一つ以上のディスプレイ開口部がカートンに形成され得る。当該ディスプレイ開口部には、折り線８２を通じてサイドパネル１２に連結された畳み込み領域８０が含まれる。畳み込み領域は、物品Ａなどのカートン内容物の一部を見せるのに十分大きなものであってよい。畳み込み領域８０は、折り線８６を通じて連結されたクリアランス領域８４を含んでもよい。クリアランス領域８４は、物品Ａに対してより良好なフィット又はクリアランスを提供することができる。
【００２２】
図５〜図７を参照すると、横方向ハンドルストラップハンドルの別の実施形態が、カートン１１０を形成するためのブランク１２６の形態で図示されている。
【００２３】
図５は、図１に示したカートン１０と類似のカートン１１０を形成することができるブランク１２６を図示する。ブランク１２６は、上述のブランク２６に類似する。ブランク１２６及びカートン１１０の一部はブランク２６及びカートン１０の一部と類似しており、対応する要素の番号に１００を加えて示している。ブランク１２６は、物品（本例ではボトルＡ）が軸を鉛直にするとともに上部又は底部を中央トップパネル１２０に当接させた状態で配置される８パックカートンを形成する。別の実施形態では、物品は、軸を水平かつハンドルストラップ１２４に平行にした状態で配置されてもよい。ブランク１２６は、折り線１２８ａ〜１２８ｅ；１３０ａ〜１３０ｂにより、エンドパネル及び中央パネルに分割される。トップパネル１２０は、折り線１２８ｃ、１３０ｃを通じて端部１１７ｃ；１１９ｃに連結されている。サイドパネル１１２；１１４は、中央パネル部及びエンドパネル部に分割される。トップパネル１２０は、折り線１３２に沿ってサイドパネル１１２に接続される一方、折り線１３４に沿ってサイドパネル１１４に接続される。ボトムパネル１２２ｂは、折り線１３８ａ、１３８ｂに沿ってサイドパネル１１２に接続される。ボトムパネル１２２ａは、折り線１３６ａ、１３６ｂに沿ってサイドパネル１１４に接続される。
【００２４】
横方向ハンドルストラップ１２４は、トップパネル１２０の二つのカットアウト間に画定されたメインストラップ部を有する。ハンドルフラップ１５２、１５４は、ストラップの厚さを増加させて組立てカートンにおいてより快適な手掴み穴を形成するように、スコア線１５３ａに沿ってハンドル１２４に折り畳み可能に接続される。ハンドルアセンブリ全体が、サイドパネル１１２；１１４の上でトップパネル１２０にわたって伸長する。従って、ハンドルアセンブリは、折り線１３２；１３４にわたって延在する。切断線１５８は、サイドパネル１１２を横切って折り線１３２に向かって延在し、そこからパネル１２０上を水平にハンドルフラップ１５２に向かって又はハンドルフラップ１５２に沿って進む。同様に、切断線１６０は、パネル１１２を横切って折り線１３２まで延在し、そこからトップパネル１２０上を水平にハンドルフラップ１５４に向かって又はハンドルフラップ１５４に沿って延在する。
【００２５】
ウェブパネル１６２、１７２は、トップパネル１２０のハンドルフラップ１５２のための手掴み穴カットアウトと、トップパネル１２０の切断線１５８、１６８の水平部分と、の間に存在する。ウェブパネル１６２、１７２は、鉛直方向の折り線及び水平方向の切断線により画定される。同様にウェブパネル１６４、１７４は、トップパネル１２０のハンドルフラップ１５４のための手掴み穴カットアウトと、トップパネル１２０の切断線１６０、１７０の水平部分との間に存在する。ウェブパネル１６４、１７４は、鉛直方向の折り線及び水平方向の切断線により画定される。折り線に沿って折り曲げられると、メインハンドル部１２４は、トップパネル１２０の面外に持ち上げられ得る。これにより、カートンを持ち上げるために手や指を挿入する空間が形成される。
【００２６】
パネル１１２；１１４は、ハンドルの周りで協働して、応力指向性（ｓｔｒｅｓｓ−ｄｉｒｅｃｔｉｎｇ）の鉛直方向の折り線及び切断線の鏡像を形成する。切断線１６８は切断線１５８の鏡像であり、切断線１７０は切断線１６０の鏡像である。切断線１６８に関連するウェブパネル１７２はウェブパネル１６２の鏡像であり、切断線１７０に関連するウェブパネル１７４はウェブパネル１６４の鏡像である。ブランク１２６を起こしてカートンとした場合、ハンドル１２４により発生する持ち上げ力は、パネル１１２；１１４に沿って、またエンドパネル１１３、１１５、１１６、１１８ではなくボトムパネル１２２ａ、１２２ｂにわたって拡散する。
【００２７】
ハンドルを横方向に取り付けることにより、持ち上げ力は、材料のバルク部の方向となり、カートンの任意の切断線、折り線、角部、又は脆弱点には直接加わらない。持ち上げ力の方向は、当該持ち上げ力が拡散して、必要な強度を提供する角部などの特別な構成的特徴に依らず材料のバルク部により伝播するような方向となる。
【００２８】
横方向ストラップハンドルカートン及び当該カートンを形成するためのブランクが提示されたことが理解されよう。ストラップハンドルを長手方向ではなく横方向に配置することにより、持ち上げ力及びパッケージの重量が、サイドパネルのより広い領域にわたって拡散する。カートンは、中央パネル、左側折り線に沿って中央パネルに折り畳み可能に接続された左側パネル、右側折り線に沿って中央パネルに折り畳み可能に接続された右側パネル、並びに中央パネル、左側パネル、及び右側パネルから形成されたストラップハンドルを有する。ハンドルは、左側パネルと右側パネルとの間の中央パネルを横切って横方向に延在する。ウェブパネルは、ハンドル及び中央パネルに連結されるとともに、ハンドルを中央パネルに接続する。ウェブパネルは、通常四つ又は八つのウェブパネルの偶数セットであるが、ハンドルの長手軸及び横軸の周りで対称的に使用及び配置される。これらのウェブパネルは、ハンドル及び中央パネルに折り畳み可能に接続され、中央パネルから離れるように、またハンドルが中央パネルより高い位置となるように折り出される。ハンドルは、左側折り線及び右側折り線に沿って折り曲げられる。一実施形態では、ハンドルの左端部は、左側パネルに向かって開口する凹曲面を有し、ハンドルの右端部は、右側パネルへ開口する凹曲面を有する。別の実施形態では、ハンドルの左端部は、左側パネルに向かって開口する凹曲面を有し、右端部は、右側パネルと一体化している。ハンドルの左端部及び右端部の各実施形態は、それぞれ、左側パネル及び右側パネルに荷重を均等に分配する。左側パネル−中央パネル−右側パネルの組合せは、サイドパネル−トップパネル−サイドパネル又はトップパネル−サイドパネル−ボトムパネルの組合せであってもよい。
【００２９】
製品カートン用のブランクは、パネルの左側縁部に沿った左側折り線及びパネルの右側縁部に沿った右側折り線を備える中央パネルを有する。左側パネルが、左側折り線に沿って中央パネルに折り畳み可能に接続され、右側パネルが、右側折り線に沿って中央パネルに折り畳み可能に接続される。ストラップハンドルが中央パネル、左側パネル、及び右側パネルから形成され、左側パネルと右側パネルとの間の中央パネルを横切って横方向に延在する。好ましい実施形態では、少なくとも四つのウェブパネルがハンドル及び中央パネルに折り畳み可能に接続されるとともに、ハンドルを中央パネルに接続する。これらのウェブパネルは、ハンドルの長手軸及び横軸の周りで対称的に配置される。ハンドルは、左側折り線及び右側折り線に沿って折り曲げ可能である。一実施形態では、ハンドルの左端部は、左側パネルに向かって開口した凹曲面を有し、ハンドルの右端部は、右側パネルに向かって開口した凹曲面を有する。別の実施形態では、ハンドルの左端部は、左側パネルに向かって開口した凹曲面を有し、ハンドルの右端部は、右側パネルと一体化している。
【００３０】
本明細書で用いられる場合、「上部、トップ（ｔｏｐ）」、「底部、ボトム（ｂｏｔｔｏｍ）」、「基部、ベース（ｂａｓｅ）」「前（ｆｒｏｎｔ）」、「後ろ（ｂａｃｋ）」、「端部、エンド（ｅｎｄ）」、「側部、サイド（ｓｉｄｅ）」、「内側（ｉｎｎｅｒ）」、「外側（ｏｕｔｅｒ）」、「上側（ｕｐｐｅｒ）」、及び「下側（ｌｏｗｅｒ）」といった方向に関する言及は、必ずしも各パネルがこのように方向付けられていると限定するものではなく、単にこれらのパネルを互いに区別するためのものであり得ることが認識されよう。
【００３１】
本明細書で用いられる場合、「折り線（ｆｏｌｄ  ｌｉｎｅ）」又は「結合線（ｌｉｎｅ  ｏｆ  ｊｏｉｎｄｅｒ）」との用語は、基材の一部を互いに対して折り曲げるのを容易にするための、又はその他の方法で基材における最適な折り曲げ位置を示すための、シート材料の基材におけるヒンジ的特徴を規定する任意の形式の線をいう。例えば、「結合線」とは、必ずしも単一の折り線のみを指すものとして解釈すべきものではなく、実際、結合線は、一つ以上の折り線から形成されたものであってもよい。「折り線」とは、これに限定されるものではないが、単一のスコア線、単一のハーフカット、ミシン線（ａ  ｌｉｎｅ  ｏｆ  ｐｅｒｆｏｒａｔｉｏｎｓ）、ショートスリット線（ａ  ｌｉｎｅ  ｏｆ  ｓｈｏｒｔ  ｓｌｉｔｓ；すなわちインターラプテッドスリット（ｉｎｔｅｒｒｕｐｔｅｄ  ｓｌｉｔ））、ハーフカット線（ａ  ｌｉｎｅ  ｏｆ  ｈａｌｆ−ｃｕｔｓ）、カット線（ａ  ｌｉｎｅ  ｏｆ  ｃｕｔｓ；すなわちインターラプテッドカット線（ｉｎｔｅｒｒｕｐｔｅｄ  ｃｕｔ  ｌｉｎｅ））、一連のショートスコア線（すなわちインターラプテッドスコア線）、これらの任意の組合せなどであってよい。
【００３２】
本明細書で用いられる場合、「切断線（ｓｅｖｅｒａｎｃｅ  ｌｉｎｅ）」及び「弱化線（ｆｒａｎｇｉｂｌｅ  ｌｉｎｅ）」との語は、それぞれ、基材の一部を互いから分離するのを容易にするか又はその他の方法で基材上の最適な分離位置を示す、シート材料の基材に形成された任意の形式の線をいう。例えば、シート材料の基材の切断線又は弱化線は、引裂きが当該切断線又は弱化線に沿って伝播することが可能となるように事前配置される。切断線又は弱化線は、これらに限定されるものではないが、単一のカット、単一のスリット、単一のハーフカット、ミシン線、ショートスリット線（すなわちインターラプテッドスリット）、ハーフカット線、カット線（すなわちインターラプテッドカット線）、一連のショートスコア線（すなわちインターラプテッドスコア線）、これらの任意の組合せなどを含む弱化された線であってよい。折り線又は切断線（カット、スコア、及びハーフカットなど）の要素は、所望の機能が得られるように寸法付け及び配置され得る。
【００３３】
切断線、弱化線、及び折り線はそれぞれ、穿孔（ｐｅｒｆｏｒａｔｉｏｎｓ）、ミシン線、ショートスリット線、ハーフカット線、単一のハーフカット、カット線、インターラプテッドカット線、スリット、スコア、及びこれらの任意の組み合わせなど、ブランクの基材に形成される要素を含むことができるということが理解されるべきである。これらの要素は、所望の機能が得られるように寸法付け及び配置され得る。例えば、ミシン目は、折り線及び／又は切断線を画定する程度の脆弱性を有するように寸法付け又は設計され得る。ミシン目は、折り線を形成するために容易に折り曲げられ且つ耐破断性を有するように、切断折り線又は弱化折り線を形成するために容易に折り曲げられ且つより力を加えれば容易に破断されるように、又は、切断線を形成するためにほぼ力を加えずとも容易に破断されるように、設計され得る。
【００３４】
「〜と整列し（ｉｎ  ａｌｉｇｎｍｅｎｔ  ｗｉｔｈ  〜）」との語句は、本明細書で用いられる場合、例えば、二つの重なり合ったパネルの第１パネルに形成された開口部と、二つの重なり合ったパネルの第２パネルに形成された第２開口部のように、起こされたキャリアにおいて２つ以上の要素が整列していることをいう。互いに位置合わせされたこれらの要素は、重なり合ったパネルの厚さ方向に互いに整列されてよい。例えば、第１パネルの開口部が、第１パネルと重なり合った配置構成で配置された第２パネルの第２開口部と「位置合わせ（ｒｅｇｉｓｔｒｙ）」された場合、開口部の縁部が第２開口部の縁部の少なくとも一部に沿って延在してよく、第１パネル及び第２パネルの厚さ方向において第２開口部と整列されてよい。
【００３５】
本明細書で用いられる場合「開口部（ａｐｅｒｔｕｒｅ）」又は「開口（ｏｐｅｎｉｎｇ）」との語は、任意の形式のリセス、ノッチ、開口部、カット、スロット、穴、及びギャップを指し、これらは、円形、長方形、カプセル状、不規則形状その他の事前に形成又は規定された多数の形状とすることができる。
【００３６】
好ましい実施形態を特に参照して本発明について説明したが、本発明の態様が示された例の特定の細部に限定されるわけではないことは明らかであり、従って、当業者により他の修正例及び応用例が発案されることが想定される。例えば、記載されているものとは異なる順番のステップを使用して、ブランクからカートンを組み立てることができ、単一のブランクが好ましいが、多部品ブランクを使用することもできる。また、本明細書に記載のハンドルは、本明細書に例示された製品カートンとは別の製品カートンに対しても使用され得ることが想定されている。従って、特許請求の範囲は、本発明の真の趣旨及び範囲を逸脱しないような全修正例及び全応用例をカバーするものとして意図されている。
【００３７】
本開示で使用されたようなストラップハンドルがカートンの管軸に対して横方向に延在するものに限定されないことは理解すべきである。むしろ、代替的実施形態では、ストラップハンドルは、例えば、トップパネル２０においてカートンの管軸に沿って長手方向に延在してもよく、その他の形式で図１のサブパネル１７ｃ、１９ｃのような両端閉鎖パネルの間で延在してもよい。このような代替的実施形態では、第１ウェブ折り線及び第２ウェブ折り線６４ａ、６４ｂのうち少なくとも一方は、図１の上端折り線２８ｃ、３０ｃのような端部結合線に対して鋭角をなすものであってよい。
【符号の説明】
【００３８】
１０、１１０  カートン
１２、１１２  左側パネル
１３、１５、１６、１８、１１３、１１５、１１６、１１８  エンドパネル
１４、１１４  右側パネル
１７ａ、１７ｂ、１７ｃ、１７ｄ、１７ｅ、１９ａ、１９ｂ、１９ｃ、１９ｄ、１９ｅ  サブパネル
２０、１２０  トップパネル
２２ａ、２２ｂ、１２２ａ、１２２ｂ  ボトムパネル
２４、１２４  ストラップハンドル
２６、１２６  ブランク
５２、５４、１５２、１５４  ハンドルフラップ
６２、６４、７２、７４、１６２、１６４、１７２、１７４  ウェブパネル
【図１】
2018501156.tif 000003
【図２】
2018501156.tif 000004
【図３】
2018501156.tif 000005
【図４】
2018501156.tif 000006
【図５】
2018501156.tif 000007
【図６】
2018501156.tif 000008
【図７】
2018501156.tif 000009
【国際調査報告】
2018501156.tif 000010
2018501156.tif 000011
2018501156.tif 000012